(57)【要約】【課題】  容器本体の胴部も含めた広い領域で光の干渉効果による３次元的な視覚効果を容易に発揮できるようにすることを技術的課題とし、もって今までにない加飾効果が発揮される容器を提供することを目的とする。【解決手段】  壁面に規則性を有するパターンを配置した複数の成形部品を組み合わせてなる容器において、該組み合わせによって、壁間での光の干渉効果により、３次元的な視覚効果による加飾を施す。【選択図】図１
2006143270.tif 000002
【特許請求の範囲】
【請求項１】
壁面に規則性を有するパターンを形成した複数の成形部品を組み合わせてなる容器において、該組み合わせによって、壁間での光の干渉効果により、３次元的な視覚効果による加飾を施したことを特徴とする合成樹脂製加飾容器。
【請求項２】
壁面に規則性を有するパターンを形成した複数の略相似形の成形部品を重ね状に組み合わせて容器本体を形成し、該組み合わせによって、外壁と内壁間での光の干渉効果により、３次元的な視覚効果による加飾を施したことを特徴とする請求項１記載の合成樹脂製加飾容器。
【請求項３】
成形部品がカップ状、トレー状、あるいはケース状である請求項２記載の合成樹脂製加飾容器。
【請求項４】
成形部品がチューブ状である請求項２記載の合成樹脂製加飾容器。
【請求項５】
成形部品が壜体状である請求項２記載の合成樹脂製加飾容器。
【請求項６】
複数の成形部品が、カップ状容器、トレー状容器、ケース状容器、あるいはコンパクト容器における蓋体と容器本体、または外蓋体と中蓋体である請求項１記載の合成樹脂製加飾容器。
【発明の詳細な説明】
【技術分野】
【０００１】
本発明は、３次元的な視覚効果を与える加飾を施した合成樹脂製容器に関する。
【背景技術】
【０００２】
容器の装飾が商品力の大きな部分を占める用途においては、塗装、印刷等により装飾性を発揮させて高級感、差別感等を表出して商品イメージを大きく向上させることが望まれている。たとえば特許文献１には蓋に覆われる部位の収納容器本体の表面に有色インクで大小のドットで模様を印刷し、蓋の外表面に成形あるいは透明なインクで印刷することによって形成された大小の凸のあるドットで模様を形成することによってモアレ模様状の３次元的な視覚効果を有する装飾を施したことを特徴とする化粧品収納容器ついての記載がある。
【特許文献１】特開２００４−１８１０３７号公報
【発明の開示】
【発明が解決しようとする課題】
【０００３】
しかしながら、特許文献１のように収納容器本体と蓋の外表面に模様を形成する構成では、装飾可能な部位が限定されると共に、容器本体と蓋との間隙の選択性が限定され、その装飾効果も限定されたものとなってしまう。
【０００４】
そこで本発明は、容器全体的に広い領域で光の干渉効果による３次元的な視覚効果を容易に発揮できるようにすることを技術的課題とし、もって今までにない加飾効果が発揮される容器を提供することを目的とする。
【課題を解決するための手段】
【０００５】
上記技術的課題を解決する方法のうち、請求項１記載の発明の手段は、壁面に規則性を有するパターンを形成した複数の成形部品を組み合わせてなる容器において、該組み合わせによって、壁間での光の干渉効果により、３次元的な視覚効果による加飾を施すこと、にある。
【０００６】
請求項１記載の上記構成により、成形部品を組み合わせて容器を構成することにより、規則性を有するパターンを形成した複数の成形部品の間隙を略一定に形成することができ、複数の成形部品の壁面上にそれぞれ規則性を有するパターンが、複数の成形部品を組み合わせることによってモアレ模様が発現するように形成されていることにより、壁面間での光の干渉効果により、３次元的な視覚効果による加飾を施すことができる。
【０００７】
また、規則性を有するパターンを形成した複数の成形部品を組み合わせて構成することにより、目的に応じて全体に、あるいは部分的に３次元的な視覚効果による加飾を施すことが可能となり、今までにない加飾性を有した容器を提供することができる。
【０００８】
また、複数の成形部品の相互の間隙を任意に選択でき、間隙を大きくするほど、視点を僅かに変えるだけでモアレ状模様が大きく揺らぎ変化する３次元的な視覚効果を発揮させることができる。
【０００９】
ここで、所定の規則性を有するパターンとしては、所定のピッチで平行線を並べたもの、正方格子状のもの、パンチメタル状にドットを一定の規則で配置したもの、同心円状のもの等様々な形態があり、たとえば成形部品の外周面上の全面に亘って同じパターンとすることもできるし、部分的にパターンを変化させてもよいし、パターンを連続的に徐々に変化させていくこともできる。また、パターンとは別に部分的に模様、図案、ベタ、あるいは文字等をいれることもできる。
【００１０】
また、各成形部品へのパターンの形成は、所定の規則性を有するパターンが印刷されたラベルの貼付、成形部品への直接印刷、あるいは予め金型を加工すること等の様々な方法で形成することができる。
【００１１】
請求項２記載の発明の手段は、請求項１記載の発明において、
壁面に規則性を有するパターンを形成した複数の略相似形の成形部品を重ね状に組み合わせて容器本体を形成し、この組み合わせによって、外壁と内壁間での光の干渉効果により、３次元的な視覚効果による加飾を施すこと、にある。
【００１２】
請求項２記載の上記構成により、壁面に規則性を有するパターンを形成した複数の略相似形の成形部品を重ね状に組み合わせて容器本体を構成すると、容器本体の壁を、内壁と外壁が略一定の間隙を形成した状態で二重壁とすることができ、そして外壁および内壁の面上にそれぞれ規則性を有するパターンが成形部品を組み合わせてモアレ模様が発現するように形成されていることにより、この外壁と内壁間での光の干渉効果により、３次元的な視覚効果による加飾を施すことができる。
【００１３】
また、容器本体を、略相似形の成形部品を重ね状に組み合わせて構成することにより、容器の略全壁面に亘って二重壁とすることができ、目的に応じて容器全体に、あるいは部分的に３次元的な視覚効果による加飾を施すことが可能となり、今までにない加飾性を有した容器を提供することができる。
【００１４】
なお本請求項２において、重ねる成形部品の全体が相互に必ずしも相似形である必要は無く、細部の形状、たとえば成形部品が壜体状とした場合において、口筒部あるいは底部の形状が異なっていても、さらにたとえば外側成形部品の底部下端が開放された構造であっても本請求項の作用効果は十分に発揮されるのであり、この観点から本請求項では略相似形とした。
【００１５】
また、容器本体を略相似形の成形部品を重ね状に組み合わせて構成することにより、容器の略全壁面に亘って二重壁とすることができるので、広範囲に亘ってモアレ模様を発現させることができ、容器の角度や視る角度によらず３次元的視覚効果を発揮させることができる。
【００１６】
また、本請求項の容器は装飾機能を利用するだけでなく、二重壁により発揮される断熱性等の作用効果を利用して用途展開することができる。また、外側成形部品と内側成形部品の合成樹脂の材質は同一である必要はなく、二重壁を利用して所謂デラミ容器として利用したり、外側成形部品を耐衝撃性の高い材質とすることにより耐衝撃性を向上させたり、内側成形部品を軟質の袋状とし外側成形部品を硬質として自立可能とする等、様々な機能を付与することもできる。
【００１７】
請求項３記載の発明の手段は、請求項２記載の発明において、成形部品がカップ状、トレー状、あるいはケース状であること、にある。
【００１８】
請求項３記載の上記構成は、略相似形の成形部品を重ね状に組み合わせて構成する具体的な構成の一つである。
ここでカップ状、トレー状、ケース状とは側面の胴部と底面の底部を有するものであり、単純に重ねるだけでも、胴部は全周に亘って内壁と外壁が略一定の間隙を形成した状態で二重壁とすることができ、底部では平行な二重壁が形成される。
【００１９】
ここで、外壁および内壁面上に規則性を有するパターンを、成形部品を組み合わせることによってモアレ模様が発現するように形成しておけば、この二重壁間での光の干渉効果により、３次元的な視覚効果が発揮される。装飾効果を考えて、たとえば容器全体、胴部全体、底部全体等、広範囲に亘ってモアレ模様を発現させることができ、容器の角度や視る角度によらず３次元的視覚効果を発揮させることができる。また、胴部の一部、底部の一部等様々な態様で装飾効果を発揮させることもできる。
【００２０】
規則的なパターンは、予め規則性を有するパターンを印刷したラベルの貼付、直接印刷の他、成形金型の表面を所定の規則性を有するパターンを形成するように加工したり、ブラスト処理、シボ加工処理等の処理を施し成形部品表面に凹凸を形成することより形成することもできる。
【００２１】
本請求項の容器は、略相似形の成形部品を単に重ねるだけでなく、たとえば胴部上端にフランジを周設し、このフランジ部分を利用して両者を組み付き固定してもいいし、フランジ部分を熱溶着して組み付き固定して使用することができ、たとえば熱いコーヒーを入れても二重壁の断熱効果により、手で掴持することができ、保温効果により、冷めにくくすることができる。
【００２２】
また、固定せずに任意に動かすことができるようにすることにより、回したり、上下に移動することによってモアレ模様が変化し、３次元的な視覚効果の変化を楽しむようにすることもできる。
【００２３】
請求項４記載の発明の手段は、請求項２記載の発明において、成形部品がチューブ状であること、にある。
【００２４】
請求項４記載の上記構成も、略相似形の成形部品を重ね状に組み合わせて構成する具体的な構成の一つである。
１つのチューブ状成形品に径の若干小さいもう一つのチューブ状成形品を挿入することにより二重壁を容易に形成することができ、外壁および内壁面上に規則性を有するパターンを成形部品の組み合わせによってモアレ模様が発現するように形成しておけば、この二重壁間での光の干渉効果により、広範囲に亘ってモアレ模様を発現させることができ、容器の角度や視る角度によらず３次元的な視覚効果を発揮させることができる。
【００２５】
本請求項の容器は、二重に重ねたチューブ状成形品の一端をシールし、他端に注出口を熱溶着等で取り付けることによりチューブ状容器として使用することができる。このようにして得られたチューブ状容器は手でスクイズして中身を取り出す際、上記の構成によりスクイズによって部分的に外壁と内壁の間隙が変化し、モアレ模様状の３次元的な視覚効果の変化を楽しむことができる。
【００２６】
また、チューブ状成形品上の壁面周囲にさらに押出成形することによっても二重壁を容易に形成することができ、予め内壁面上に規則性を有するパターンを形成しておき、該内壁面周囲に押出成形し外壁面を形成後、該外壁面上に規則性を有するパターンをモアレ模様が発現するように形成することにより、この二重壁間での光の干渉効果により、３次元的な視覚効果が発揮される。
【００２７】
規則性を有するパターンは予め規則性を有するパターンを印刷したラベルの貼付、直接印刷により形成することができる。
【００２８】
また、本請求項の容器は、内側のチューブ状成形部品を萎み変形自在に薄肉に形成し、注出口に逆止弁を有するキャップを組み合わせて使用することにより、デラミ容器としても使用できる。
【００２９】
請求項５記載の発明の手段は、請求項２記載の発明において、成形部品が壜体状であること、にある。
【００３０】
請求項５記載の上記構成も、略相似形の成形部品を重ね状に組み合わせて構成する具体的な構成の一つである。
略相似形の壜体状の成形部品を重ねることにより、二重壁を容易に形成することができ、外壁および内壁面上に成形部品を重ねることによってモアレ模様が発現するように規則性を有するパターンを形成しておけば、この二重壁間での光の干渉効果により、３次元的な視覚効果が発揮される。この際、前述したように、たとえば口筒部の形状、あるいは底部の形状が異なっていても、さらにたとえば外側成形部品の底部下端が開放された構造であっても本請求項の作用効果は十分に発揮される。
【００３１】
規則性を有するパターンは予め規則性を有するパターンを印刷したラベルの貼付、直接印刷の他、成形金型の表面を所定の規則性を有するパターンを形成するように加工したり、ブラスト処理、シボ加工処理等の処理を施し成形部品表面に凹凸を形成することにより形成することができる。
【００３２】
また、このような二重壁を有した壜体状の容器は、断熱機能を有した壜体状容器、あるいは内容物の充填工程や流通過程における外容器の汚れや表面疵を回避できる二重容器としても使用できる。
【００３３】
請求項６記載の発明の手段は、請求項１記載の発明において、複数の成形部品がカップ状容器、トレー状容器、ケース状容器、あるいはコンパクト容器における蓋体と容器本体、または外蓋体と中蓋体であること、にある。
【００３４】
請求項６記載の上記構成により、カップ状容器、トレー状容器、ケース状容器、あるいはコンパクト容器において、蓋体と容器本体の底壁、あるいは外蓋体と中蓋体は広い面積で略平行に配置されるので、たとえば蓋体の頂壁面と本体底壁面に規則性を有するパターンを、成形部品を組み合わせることによってモアレ模様が発現するように形成しておけば、壁間での光の干渉効果により、上から、あるいは下から見ると容器の略全面にも広がる領域で遠近感が発現し３次元的な視覚効果を発揮させることができる。
【００３５】
そして、この場合、壁面間の距離の大きさを広く選択することができ、距離を大きくすることができるので、視点を僅かに変えるだけでモアレ状模様が大きく揺らぎ変化する３次元的な視覚効果を発揮させることができる。
【００３６】
また、上記の蓋体と容器本体の底壁の組み合わせにおける蓋体、あるいは外蓋体と中蓋体の組み合わせにおける外蓋体を、たとえば容器本体の口筒部に蓋体に螺合するネジ部を設け、スクリューキャップ等の蓋体の回転により開け締めするタイプにすることにより、中身を取り出す際などの蓋体を開けたり締めたりする際に壁面間による規則的なパターンが重なる角度および壁面間の距離が変化するので、劇的にモアレ状模様が変化する。
【００３７】
なお、規則性を有するパターンは、予め規則性をするパターンを印刷したラベルの貼付、直接印刷の他、成形金型の表面を所定の規則性を有するパターンを形成するように加工したり、ブラスト処理、シボ加工処理等の処理を施し成形部品表面に凹凸を形成することにより形成することができる。
【発明の効果】
【００３８】
本発明は上記した構成であり、以下に示す効果を奏する。
請求項１記載の発明にあっては、成形部品を組み合わせて容器を構成することにより、規則性を有するパターンを形成した複数の成形部品の間隙を略一定に形成することができ、目的に応じて容器全体に、あるいは部分的に光の干渉効果により、３次元的な視覚効果による加飾を施すことができ、今までにない加飾性を有した容器を提供することができる。
【００３９】
請求項２記載の発明にあっては、略相似形の成形部品を重ね状に組み合わせて容器本体を構成することにより、容器の略全壁面に亘って二重壁とすることができ、目的に応じて容器全体に、あるいは部分的に３次元的な視覚効果による加飾を施すことが可能となり、今までにない加飾性を有した容器を提供することができる。
【００４０】
請求項３記載の発明にあっては、二重壁間での光の干渉効果により、３次元的な視覚効果が発揮されるカップ状、トレー状、あるいはケース状容器を提供することができる。
【００４１】
請求項４記載の発明にあっては、二重壁間での光の干渉効果により、３次元的な視覚効果が発揮されるチューブ状容器を提供することができる。
【００４２】
請求項５記載の発明にあっては、二重壁間での光の干渉効果により、３次元的な視覚効果が発揮される壜体状容器を提供することができる。
【００４３】
請求項６記載の発明にあっては、たとえば蓋体の頂壁と容器本体の底壁の壁間での光の干渉効果により、上から、あるいは下から見ると容器の略全面にも広がる領域で３次元的な視覚効果を発揮させることができ、また壁間の距離を大きくできるので、視点を僅かに変えるだけでモアレ状模様が大きく揺らぎ変化する３次元的な視覚効果を発揮させることができる。
【発明を実施するための最良の形態】
【００４４】
以下本発明の実施の形態を図面を参照しながら説明する。図１は本発明の第１実施例のカップ状二重容器１を示す斜視図である。図２は内側と外側のカップ状成形部品２ａ、２ｂを離して示す斜視図であり、内側カップ状成形部品２ａは不透明性の、外側カップ状成形部品２ｂは透明性の合成樹脂製である。なお以降、図中において内側成形部品に関するものには符号にａ、外側成形部品に関するものには符号にｂを添えて示し、両者を総称する場合はａ、ｂの添え字をつけないで示す。
【００４５】
カップ状成形部品２ａ、２ｂは、カップ状成形品２ａの方がカップ状成形品２ｂに比べ僅かに寸法が小さい略相似形状の成形部品であり、平らな底部４底壁を有し、胴部３は若干上方に向かって拡径した円筒状であり上端にはフランジ５が周設されている。また胴部３にはカップ状成形品２ａ、２ｂを重ねることによりモアレ模様が発現するように予め市松模様を直接オフセット印刷した規則的なパターンＰが形成されている。
【００４６】
ここで、フランジ５ａ、５ｂを当接した状態でモアレ模様が発現するように２個のカップ状成形部品２ａ、２ｂを重ねると胴部３ａ、３ｂおよび底部４ａ、４ｂ壁間には一定間隔に各々間隙Ｓ１、Ｓ２が形成されたカップ状容器が形成され、図１に示されるように、胴部３の全周に亘って広範囲に光の干渉効果によるモアレ模様状の３次元的な視覚効果が発揮される。
【００４７】
図３は本発明の第２実施例のカップ状二重容器１において、内側と外側のカップ状成形部品２ａ、２ｂを離して示す斜視図である。これら成形部品の形状は第１実施例と同様であるが、本例では内側カップ状成形部品２ａ、外側カップ状成形部品２ｂは、ともに透明な合成樹脂製である。底部４の底壁には、カップ状成形部品２ａ、２ｂを重ねることによってモアレ模様が発現するように予め市松模様を印刷したインモールドラベルが貼付され、規則的なパターンＰが形成されている。
【００４８】
図１同様にこれらカップ状成形部品２ａ、２ｂをモアレ模様が発現するように重ねると、両底壁は一定の距離をおいて平行に位置したカップ状容器が形成され、光の干渉効果によるモアレ模様状の３次元的な視覚効果が発揮される。
この場合、底部４ａ、４ｂの底壁に貼付されるラベルの基材を透明とすることにより容器の上方から見ても、下方から見ても光の干渉効果によるモアレ模様状の３次元的な視覚効果が発揮される。
【００４９】
なお、上記第１実施例、および第２実施例において、カップ状二重容器１は単にカップ状成形部品２を重ねるだけでも、その間隙を利用して断熱効果を有する容器としても利用できるが、フランジ５部分を利用して、たとえば熱融着等により組み付け固定して使用することもできる。また上記実施例では相似形状のカップ状成形部品２を使用したが、使用目的、生産性、装飾効果を考えて同じ形状を組み合わせて使用することもできる。
【００５０】
またカップ状成形部品２の形状も円筒状だけでなく、矩形筒状、楕円筒状等様々な形状のものを使用することができる。さらに、カップ成形部品を固定せずに任意に動かすことができるようにすることにより、回したり、上下に移動させたりすることによってモアレ模様が変化し、３次元的な視覚効果の変化を楽しむようにすることもできる。
【００５１】
図４は本発明の第３実施例を示すものであり、カップ状成形部品２と蓋体７を離して示した斜視図である。カップ状成形部品２は第２実施例で使用したカップ状成形部品２ｂと同様であり、同じ形状で、透明な合成樹脂製である。底部４の底壁外表面に予め市松模様を印刷したインモールドラベルを貼付することにより規則的なパターンＰ１が形成されている。一方、透明性の蓋体７の頂壁上面外表面にも予め市松模様を印刷したインモールドラベルを貼付することにより規則的なパターンＰ２が形成されている。
【００５２】
この蓋体７をカップ状成形部品２のフランジ５部分にモアレ模様が発現するように被せることにより、底部４底壁と蓋体７頂壁は平行に位置し、底部４底壁と蓋体７頂壁上面に貼付されたラベルの基材がともに透明な場合、容器の上方から見ても、下方から見ても容器の略全域に亘る広い範囲でパターンＰ１とパターンＰ２により光の干渉効果によるモアレ模様状の３次元的な視覚効果が発揮され、たとえば内容物が透明である場合には、内容物によるプリズム効果も加味されて今までにない装飾性が発揮される。
【００５３】
また、本実施例では底部４底壁と蓋体７頂壁はかなり離れた状態で相互に平行に位置するので、第２実施例における視覚効果とはまた異なり、視点を僅かに変えるだけでモアレ状模様が大きく揺らぎ変化する３次元的な視覚効果を発揮させることができる。
【００５４】
図５は本発明の第４実施例のチューブ状二重容器１１を示す正面図であり、クリーム状の化粧料等の容器として使用されるものである。図６はこのチューブ状二重容器１１を成形するための内側と外側のチューブ状成形部品１２ａ、１２ｂを離して示す斜視図である。チューブ成形部品１２ａ、１２ｂはいずれも円筒状で柔軟性を有し、内側チューブ状成形部品１２ａは不透明、外側チューブ状成形部品１２ｂは透明な合成樹脂製の押出し成形部品である。内側チューブ状成形部品１２ａは外側チューブ状成形部品１２ｂに比較して径が若干小さく、外側チューブ状成形部品１２ｂ内に挿入して若干の間隙を形成しながら二重壁を形成する。
【００５５】
また内側チューブ状成形部品１２ａの外周面には中心軸方向に縦縞が、そして外側チューブ状成形部品１２ｂには中心軸方向から若干傾けて縦縞が、１２ａを１２ｂに挿入することによってモアレ模様が発現するように予め直接スクリーン印刷されており、それぞれに規則的なパターンＰａ、Ｐｂが形成されている。
【００５６】
この内側チューブ状成形部品１２ａを外側チューブ状成形部品１２ｂ内にモアレ模様が発現するように挿入し、組み合わせた後、下端部に、超音波シール機等によりシール部１４を形成し、上端部に肩部および注出口１６を一体とした成形部品であるヘッド部１５を熱溶着により取り付けて図５のチューブ状二重容器１１を得ることができる。
【００５７】
そして、胴部１３では図５に示すように二重壁に形成されたパターンＰａ、Ｐｂにより光の干渉効果によるモアレ模様状の３次元的な視覚効果を発揮される。なお本実施例においては壁間の間隙は必ずしも一定でなく、また、内容物の使用に従って胴部１３が変形するので、部位により、変形状態により様々に変化する装飾効果が発揮される。また、手でスクイズして中身を取り出す際、スクイズによって部分的に外壁と内壁の間隙が変化し、モアレ模様状の３次元的な視覚効果の変化を楽しむことができる。
【００５８】
なお、上記第４実施例では、柔軟性を有するチューブ状成形部品１２を２重にして、スクイズタイプのチューブ状二重容器１１としたが、用途により硬質のチューブ状成形部品１２を組み合わせたり、柔軟性を有するチューブ状成形部品１２と硬質のチューブ状成形部品１２を組み合わせることもできる。
【００５９】
図７は本発明の第５実施例の壜体状二重容器２１を示す部分縦断正面図である。この壜体状二重容器２１は内容物を収納する内側壜体状成形部品２２ａと内側壜体状成形部品２２ａの底面および口部を除いて覆い被さる外側壜体状成形部品２２ｂとからなる２重容器である。内側壜体状成形部品２２ａはインジェクション成形で得られた不透明な合成樹脂製成形部品であり、外側壜体状成形部品２２ｂは同様にインジェクション成形で得られた、透明な合成樹脂製の壜体状成形部品である。
【００６０】
内側壜体状成形部品２２ａの胴部２３ａおよび外側壜体状成形部品２２ｂの胴部２３ｂは円筒状で、内側壜体状成形部品２２ａの口筒部２５ａにキャップ２６を螺合することにより固定保持することができる内容物排出用のディスペンサ２７が取り付けられており、外側壜体状成形部品２２ｂは内側壜体状成形部品２２ａを挿入するための下端開口部２４ｂ１と、この下端開口部２４ｂ１から挿入した内側壜体状成形部品２２ａの口筒部２５ａを露出させる上端開口部２５ｂ１を有する。
【００６１】
よって、本実施例では内側壜体状成形部品２２ａの胴部２３ａと外側壜体状成形部品２２ｂの胴部２３ｂの形状は略相似形であるが、口筒部２５ａ、２５ｂおよび底部２４ａ、２４ｂはそれぞれ異なる形状をしている。
【００６２】
両壜体状成形部品２２ａ、２２ｂの胴部２３ａ、２３ｂ外周面正面部分には、縦長の楕円を一定間隔で同心状に並べた模様が、両者でその中心を若干ずらすようにして、内側壜体状成形部品２２ａを外側壜体状成形部品２２ｂに挿入することによってモアレ模様が発現するように予め直接スクリーン印刷してパターンＰａ、Ｐｂが形成されており、さらには内側壜体状成形部品２２ａにはパターンＰａに重ねるようにして”ＡＢＣ”なる図案化した文字を印刷している。
【００６３】
そして、この内側壜体状成形部品２２ａを外側壜体状成形部品２２ｂ内にモアレ模様が発現するように挿入し、組み合わせると、壜体状二重容器２１の胴部２３正面ではパターンＰａ、Ｐｂと、二重壁により、図７に示すように光の干渉効果によるモアレ模様状の３次元的な視覚効果を発揮されると共に、モアレ模様の中に図案化した”ＡＢＣ”の文字が浮かんでいるような、あるいは沈み込んでいるような３次元的な視覚効果が発揮される。
【００６４】
なお第５実施例では壜体状二重容器の例として内容物の充填工程や流通過程における外容器の汚れや表面疵を回避できる二重容器を記載したが、たとえば断熱性、保温性を有する容器とすることもできる。
【００６５】
以上、第１〜第５実施例で本願の実施態様の例を示したが、第１、第４、第５実施例では少なくとも外側成形部品、あるいはこれらに使用するラベル基材は透明性の材料を使用するが、光の干渉効果は透過光だけでなく反射光でも発揮されるので、内側成形部品、あるいはこれらに使用するラベル基材は必ずしも透明である必要はない。
【００６６】
また、第２、第３実施例では複数の成形部品において少なくとも視覚する側の成形部品あるいはこれらに使用するラベル基材は透明性の材料を使用するが、視覚する側と対向する側の成形部品あるいはこれらに使用するラベル基材は必ずしも透明である必要はなく、印刷、塗装等により全体的に、または、部分的に不透明にすることもできる。
【００６７】
なお、本発明は上記説明した実施例に限定されるものではない。
そして、本発明の成形部品に使用する合成樹脂としては、透明性が必要な場合にはポリエステル樹脂、ポリスチレン樹脂、アクリル樹脂、ポリ塩化ビニル樹脂、ポリオレフィン樹脂など従来より使用されている透明性を有する樹脂から適宜選択することができる。目的に応じて着色透明であってもよい。
【００６８】
また、外側成形部品と内側成形部品の合成樹脂は同一である必要は無く、たとえば外側成形部品をポリオレフィン系樹脂として、ガスバリア性を向上させるために内側成形部品をエチレン−ビニルアルコール共重合体またはナイロン系樹脂とすることもできる。また、本発明に使用される成形部品は、ブロー成形、二軸延伸ブロー成形、インジェクション成形、押出成形、熱成形等によって得ることができる。
【００６９】
また成形部品の形状としては、円筒状、角柱状、円錐状、角錐状、球状、箱状、外蓋状、中蓋状等、様々な形状を選択でき、容器の形態はカップ、トレー、ケース、コンパクト、チューブ、パウチ等、従来からある形態が使用できる。
【００７０】
また、ラベル貼付により規則性を有するパターンを形成する場合、ラベルの基材としてはフィルム、合成紙、紙等が使用され、透明性が必要な場合には透明な基材を選択する。透明基材を使用した場合、規則性を有するパターンを印刷する面は基材の容器と接着する面でも、その他方の面でもよい。また、ラベルにベタ印刷を行い、対向する面から反射光でモアレ模様状の３次元的視覚効果を発揮できるようにすることもできる。
【００７１】
ラベルは、タックラベル、インモールドラベル、グルーラベル、シュリンクラベル、ストレッチラベル、感熱ラベル等、従来使用されているラベルが使用できる。また、ラベルの貼付は通常、成形部品の外表面であるが、成形方法によっては内表面でも貼付できる。そしてラベル基材への印刷は、グラビア印刷、オフセット印刷、凸版輪転印刷、スクリーン印刷、インクジェットプリント等従来の印刷方式による印刷が可能である。
【００７２】
また、容器への直接印刷により規則性を有するパターンを形成する場合、オフセット印刷、スクリーン印刷、転写印刷、インクジェットプリント等従来の印刷方式による印刷が可能であり、使用するインクは紫外線または電子線硬化型、蒸発乾燥型、二液硬化型、酸化重合型等の従来使用されるインクが使用できる。
【００７３】
また、金型を加工により成形によって規則性を有するパターンを形成する場合、成形金型の表面を所定の規則性を有するパターンを形成するように加工したり、ブラスト処理、シボ加工処理を施したりすることによって得られる。
【００７４】
また、パターンを形成する方法としてラベルの貼付、容器への直接印刷、金型加工による方法のうち、どれかひとつを選択してもよいが、複数を組み合わせて実施してもよい。また、ラベル貼付の場合、ひとつの成形部品に貼付されるラベルは必ずしも単一とは限らず、複数でもよい。また、成形部品およびこれらに使用するラベル基材は単層であっても積層であってもよい。
【００７５】
規則性を有するパターンとしては、所定のピッチで平行線を並べたもの、正方格子状のもの、パンチメタル状にドットを一定の規則で配置したもの、同心円状のもの等様々な形態があり、たとえば容器の外周面上の全面に亘って同じパターンとすることもできるし、部分的にパターンを変化させてもよいし、パターンを連続的に徐々に変化させていくこともできる。また、パターンとは別に部分的に模様、図案、ベタ、あるいは文字等をいれることもできる。
【００７６】
また、パターンは様々な態様があり、たとえば成形部品の外周面上の全面に亘って同じパターンとすることもできるし、パターンの間隔を部分的に変化させたり、連続的に徐々に変化させることもできるし、壁間で各々異なるパターンであってもよい。また、パターンの中にこのパターンとは間隔および／または径の異なる他のパターンを設けることによりモアレ模様が、一つのパターン単独によるモアレ模様とは異なり、一つのモアレ模様の中に他の模様が浮き上がって見えたり、沈み込んで見えたりする。
【００７７】
また、パターンとは別に部分的に模様、図案、ベタ、あるいは文字等をいれることもできる。また、パターン色は単色であっても、多色であってもよく、成形部品ごとに色が同じでも異なっていてもよい。また、ラベルの貼付、容器への直接印刷、金型加工による方法等によって形成された規則性を有するパターンの他に、直接印刷、ラベル、転写、ホットスタンプ、塗装等、従来の加飾方法によって成形部品表面に他の加飾を施すこともできる。
【産業上の利用可能性】
【００７８】
以上説明したように本発明の合成樹脂製加飾容器は様々な態様の容器で、モアレ模様状の３次元的な視覚効果を容器の広い領域で容易に発揮させることができ、化粧品用等の高級な加飾性を要求される分野だけでなく飲料、あるいは食品等の分野においてもより幅広い用途展開が期待できる。
【図面の簡単な説明】
【００７９】
【図１】本発明の第１実施例のカップ状二重容器を一部破断して示す斜視図である。
【図２】図１の容器の内側と外側のカップ状成形部品を分離して示す斜視図である。
【図３】本発明の第２実施例のカップ状二重容器において、内側と外側のカップ状成形部品を分離して示す斜視図である。
【図４】本発明の第３実施例において、カップ状成形品と蓋体を分離して示す斜視図である。
【図５】本発明の第４実施例のチューブ状二重容器を示す正面図である。
【図６】図５のチューブ状二重容器を成形するための内側と外側のチューブ状成形部品を分離して示す斜視図である。
【図７】本発明の第５実施例の壜体状二重容器を部分縦断して示す正面図である。
【符号の説明】
【００８０】
１  ；カップ状二重容器
２、２ａ、２ｂ；カップ状成形部品
３、３ａ、３ｂ；胴部
４、４ａ、４ｂ；底部
５、５ａ、５ｂ；フランジ
７  ；蓋体
１１；チューブ状二重容器
１２、１２ａ、１２ｂ；チューブ状成形部品
１３；胴部
１４；シール部
１５；ヘッド部
１６；注出口
２１；壜体状二重容器
２２、２２ａ、２２ｂ；壜体状成形部品
２３、２３ａ、２３ｂ；胴部
２４、２４ａ、２４ｂ；底部
２４ｂ１；下端開口部
２５、２５ａ、２５ｂ；口筒部
２５ｂ１；上端開口部
２６；キャップ
２７；ディスペンサ
Ｐ、Ｐａ、Ｐｂ、Ｐ１、Ｐ２；パターン
Ｓ１、Ｓ２；間隙
【図１】
2006143270.tif 000003
【図２】
2006143270.tif 000004
【図３】
2006143270.tif 000005
【図４】
2006143270.tif 000006
【図５】
2006143270.tif 000007
【図６】
2006143270.tif 000008
【図７】
2006143270.tif 000009